(57)【特許請求の範囲】
【請求項１】
（Ａ）成分としてカチオン化多糖類、
（Ｂ）成分としてアルカリ剤、
（Ｃ）成分としてアニオン界面活性剤、及び
（Ｄ）成分として水
を含有し、（Ｂ）成分が水酸化ナトリウム及び水酸化カリウムの少なくとも１種を含有し、（Ａ）成分と（Ｃ）成分の質量比（Ａ）／（Ｃ）の値が０．０１以上、１００以下であり、組成物の２５℃におけるｐＨが１３．１以上、１４以下である、硬質表面用洗浄剤組成物。
【請求項２】
（Ａ）成分が、カチオン化セルロースである、請求項１に記載の硬質表面用洗浄剤組成物。
【請求項３】
（Ｃ）成分が、α−オレフィンスルホン酸、ポリオキシアルキレンアルキルエーテル硫酸エステル、２級アルカンスルホン酸、及びこれらの塩からなる群から選択される１種又は２種以上を含有する、請求項１又は２に記載の硬質表面用洗浄剤組成物。
【請求項４】
更に、（Ｅ）成分として両性界面活性剤を含有する、請求項１〜３のいずれか１項に記載の硬質表面用洗浄剤組成物。
【請求項５】
更に、（Ｆ）成分として非イオン界面活性剤を含有する、請求項１〜４のいずれか１項に記載の硬質表面用洗浄剤組成物。
【請求項６】
更に、（Ｇ）成分としてグリコール系溶剤、グリコールエーテル系溶剤及びこれらの混合物から選択される溶剤を含有する、請求項１〜５のいずれか１項に記載の硬質表面用洗浄剤組成物。
【請求項７】
更に、（Ｈ）成分として芳香族スルホン酸化合物を含有する、請求項１〜６のいずれか１項に記載の硬質表面用洗浄剤組成物。
【請求項８】
レンジ、流し、換気扇、調理台又は調理器具の硬質表面を洗浄するための、請求項１〜７のいずれか１項に記載の硬質表面用洗浄剤組成物。
【請求項９】
硬質表面に、ハンドスプレーヤーで、請求項１〜８のいずれか１項に記載の硬質表面用洗浄剤組成物を泡状で接触させることを含む、硬質表面の洗浄方法。
【請求項１０】
前記ハンドスプレーヤーが、トリガースプレーヤー又はフォーマースプレーヤーである、請求項９に記載の硬質表面の洗浄方法。
【発明の詳細な説明】
【技術分野】
【０００１】
本発明は、硬質表面に付着した汚れの洗浄性、及び防汚効果に優れた硬質表面用洗浄剤組成物及び該組成物を用いた硬質表面の洗浄方法に関する。
【背景技術】
【０００２】
一般家庭における台所の換気扇やガスレンジ、風呂釜、トイレ、食器類、あるいは車両、建築物等は、金属、プラスチック、ガラス、陶磁器、コンクリート等の硬質素材によってできている。これらの硬質表面には、風雨、食物類、排出物、油類、排気ガス等によって様々な汚れが付着するが、特に調理現場においては焼き付けや長期使用により強固な油汚れが付着している。このような油汚れを除去するために様々な洗浄剤が使用されているが、洗浄後に汚れが付着しても落とし易くする（防汚効果）ため、各種ポリマーを配合した洗浄剤が知られている。
【０００３】
従来の洗浄剤としては、引用文献１には、酸性基及び／又はアニオン性基と、カチオン性基及び／又はアミノ基とを含有する両性ポリマーを含有する硬質表面用洗浄剤組成物が記載されている。引用文献２にはＮ，Ｎ−ジアリル−Ｎ，Ｎ−ジメチルアンモニウム塩モノマー由来のユニットを３０〜１００モル％含有する（共）重合体を含有する油汚れ用洗浄剤組成物が記載されている。引用文献３にはカチオン化セルロースを含有する液体洗浄剤組成物が記載されている。
【先行技術文献】
【特許文献】
【０００４】
【特許文献１】特開２０１１−２１９６５２号公報
【特許文献２】特開２０１２−１９３２８７号公報
【特許文献３】特開２００３−１５５４９９号公報
【発明の概要】
【発明が解決しようとする課題】
【０００５】
しかしながら、特許文献１及び２に記載の組成物は表面に親水性の皮膜を形成させて汚れの再付着を防止する技術であるが、疎水性の硬質表面に対しては皮膜が形成されにくく、防汚効果が十分に発揮されなかった。
【０００６】
特許文献３はカチオン化セルロースの配合により水切れ性に優れるが、焼き付いた油汚れに対する洗浄性が十分ではく、防汚効果も十分ではなかった。
【０００７】
上記事情を鑑みて、本発明は、特に油汚れに対して優れた洗浄性を示し、更に、親水性の表面だけでなく疎水性表面に対しても優れた防汚効果を発揮する硬質表面用洗浄剤組成物を提供することを目的とする。
【課題を解決するための手段】
【０００８】
上記課題を解決するために、本発明者らは鋭意検討した結果、（Ａ）成分としてカチオン化多糖類、（Ｂ）成分としてアルカリ剤、（Ｃ）成分としてアニオン界面活性剤、（Ｄ）成分として水を含有し、（Ａ）成分と（Ｃ）成分の質量比（Ａ）／（Ｃ）の値が０．０１以上、１００以下である硬質表面用洗浄剤組成物が従来の硬質表面用洗浄剤組成物が有していた課題を解決できることを見出し、本発明を完成するに至った。
【０００９】
即ち本発明は、
（１）（Ａ）成分としてカチオン化多糖類、
（Ｂ）成分としてアルカリ剤、
（Ｃ）成分としてアニオン界面活性剤、及び
（Ｄ）成分として水
を含有し、（Ｂ）成分が水酸化ナトリウム及び水酸化カリウムの少なくとも１種を含有し、（Ａ）成分と（Ｃ）成分の質量比（Ａ）／（Ｃ）の値が０．０１以上、１００以下であり、組成物の２５℃におけるｐＨが１３．１以上、１４以下である、硬質表面用洗浄剤組成物、
（２）（Ａ）成分が、カチオン化セルロースである、（１）の硬質表面用洗浄剤組成物、（３）（Ｃ）成分が、α−オレフィンスルホン酸、ポリオキシアルキレンアルキルエーテル硫酸エステル、２級アルカンスルホン酸、及びこれらの塩からなる群から選択される１種又は２種以上を含有する、（１）又は（２）の硬質表面用洗浄剤組成物、
（４）更に、（Ｅ）成分として両性界面活性剤を含有する、（１）〜（３）のいずれかの硬質表面用洗浄剤組成物、
（５）更に、（Ｆ）成分として非イオン界面活性剤を含有する、（１）〜（４）のいずれかの硬質表面用洗浄剤組成物、
（６）更に、（Ｇ）成分としてグリコール系溶剤、グリコールエーテル系溶剤及びこれらの混合物から選択される溶剤を含有する、（１）〜（５）のいずれかの硬質表面用洗浄剤組成物、
（７）更に、（Ｈ）成分として芳香族スルホン酸化合物を含有する、（１）〜（６）のいずれかの硬質表面用洗浄剤組成物、
（８）レンジ、流し、換気扇、調理台又は調理器具の硬質表面を洗浄するための、（１）〜（７）のいずれかの硬質表面用洗浄剤組成物、
（９）（１）〜（８）のいずれかの硬質表面用洗浄剤組成物を、ハンドスプレーヤーを用いて被洗浄物に泡状に噴射し洗浄することを含む、硬質表面の洗浄方法、並びに
（１０）前記ハンドスプレーヤーが、トリガースプレーヤー又はフォーマースプレーヤーである、（９）の硬質表面の洗浄方法である。
【発明の効果】
【００１０】
本発明の硬質表面用洗浄剤組成物は、油汚れに対して優れた洗浄性を示し、更に、親水性表面だけでなく疎水性表面に対しても優れた防汚効果（汚れが付着しても落とし易くする効果）を示す。
【発明を実施するための形態】
【００１１】
本発明は、上記（Ａ）〜（Ｄ）成分を必須成分として含み、（Ａ）成分と（Ｃ）成分の質量比（Ａ）／（Ｃ）の値が０．０１以上、１００以下である、硬質表面用洗浄剤組成物である。
【００１２】
＜（Ａ）成分＞
（Ａ）成分はカチオン化多糖類である。カチオン化多糖類は、本発明の硬質表面用洗浄剤組成物の疎水表面及び親水表面双方に対する防汚性向上に寄与する。
（Ａ）成分として、多糖類のポリマー鎖の側鎖にアミノ基もしくはアンモニウム基を含むか、又はジアリル４級アンモニウム塩を構成単位として含む水溶性の多糖類が挙げられる。
【００１３】
（Ａ）成分の具体例として、カチオン化セルロース、カチオン化ヒドロキシエチルセルロース、カチオン化ヒドロキシプロピルセルロース、カチオン化澱粉、カチオン化グアーガム、カチオン化タラガム、カチオン化フェヌグリークガム、カチオン化ローカストビーンガム、カチオン化タマリンド等が挙げられる。これらの中で、カチオン化セルロース、カチオン化グアーガム、カチオン化澱粉が好ましく、カチオン化セルロースがより好ましい。
【００１４】
（Ａ）成分のカチオン化多糖類は、主にアミノ基やアンモニウム基に由来する窒素を含有し、その窒素含有量は、特に限定されないが、好ましくは、０．１〜１０．０質量％であることが好ましく、０．５〜５．０質量％であることがより好ましく、０．９〜３．０質量％であることが更により好ましく、１．１質量％〜２．５質量％が最も好ましい。
なお、前記窒素含有量の測定は、例えば、ケルダール法などが挙げられる。前記ケルダール法としては、例えば、「医薬部外品原料規格２００６（薬事日報社）」一般試験法  ４４．窒素定量法を参考に、（Ａ）成分のカチオン化多糖類を硫酸で分解して硫酸アンモニウムとし、そのアンモニウムを定量することによって測定できる。
【００１５】
本発明で（Ａ）成分として使用するカチオン化セルロースは、セルロースをカチオン化剤で変性させたセルロースであるが、特に限定されず、市販されている公知のカチオン化セルロースを用いることができる。
例えば、商品名「レオガードＧＰ（第４級窒素含有率１．８質量％、ライオン・スペシャリティ・ケミカルズ株式会社製）」、商品名「レオガードＬＰ（第４級窒素含有率１．０質量％、ライオン・スペシャリティ・ケミカルズ株式会社製）」、商品名「レオガードＭＧＰ（第４級窒素含有率１．８質量％、ライオン・スペシャリティ・ケミカルズ株式会社製）」、商品名「レオガードＭＬＰ（第４級窒素含有率０．６質量％、ライオン・スペシャリティ・ケミカルズ株式会社製）」、商品名「ＳｕｐｒａＣａｒｅ２１２（第４級窒素含量１．９質量％、ダウ・ケミカル社製）」、商品名「カチナールＨＣ−１００（第４級窒素含量１．０〜２．０質量％、東邦化学工業社製）」などが挙げられる。
【００１６】
本発明で使用するカチオン化セルロースの重量平均分子量は特に限定されないが、一般に１００００〜５００００００、好ましくは、２００００〜２００００００、更により好ましくは５００００〜１００００００である。
【００１７】
カチオン化グアーガムとは、学名がCyamopsis tetragonolobaである、パキスタンやインドで栽培されている一年生豆科植物の種子から得られる多糖類（グアーガム）を、カチオン化剤を用いて変性させたもの全般を指す。
本発明では、特に限定されず、市販されている公知のカチオン化グアーガムを用いることができる。市販されているカチオン化グアーガムとしては、ラボールガムＣＧ−Ｍシリーズ（ＤＳＰ五協フード＆ケミカルズ社製）」、商品名「ジャガーＣ−１３Ｓ（ソルベイ社製）」などが挙げられる。
本発明で使用するカチオン化グアーガムの重量平均分子量は特に限定されないが、一般に５０００〜５００００００、好ましくは、１００００〜３００００００である。
【００１８】
カチオン化澱粉とは、カチオン化剤と澱粉を反応させて得られる変性澱粉全般を指す。  本発明では、特に限定されず、公知のカチオン化澱粉を用いることができる。市販品としては、商品名「ＳＥＭＳＯＭＥＲ  ＣＩ−５０（ルブリゾール社製）」、商品名「ネオタック４０Ｔ（日本食品化工社製）」、ＰＯＳＩＴシリーズ（三晶社製）などが挙げられる。
本発明で使用するカチオン化澱粉の重量平均分子量は特に限定されないが、一般に１０００〜５００００００、好ましくは、５０００〜３００００００である。
【００１９】
（Ａ）成分の２５℃における２質量％水溶液の粘度は、５〜５０００ｍＰａ・ｓが好ましく、１０〜３０００ｍＰａ・ｓがより好ましく、５０〜２５００ｍＰａ・ｓが更に好ましい。（Ａ）成分の２質量％水溶液の粘度が上記範囲内であれば、低濃度の洗浄時の水切れ性により優れる。粘度は、２５℃のカチオン化セルロースの２質量％の水溶液をＢ型粘度計で測定した値である。粘度の測定条件は、以下の通りである。
測定条件：
［ローター］
測定対象の粘度に対応するローター番号、ローター回転数は、下記の通りである。
・粘度が５００ｍＰａ・ｓ未満：ローター番号Ｎｏ．２、回転数６０ｒｐｍ。
・粘度が５００ｍＰａ・ｓ以上２０００ｍＰａ・ｓ未満：ローター番号Ｎｏ．３、回転数６０ｒｐｍ。
・粘度が２０００ｍＰａ・ｓ以上１００００ｍＰａ・ｓ未満：ローター番号Ｎｏ．４、回転数６０ｒｐｍ。
・粘度が１００００ｍＰａ・ｓ以上５００００ｍＰａ・ｓ未満：ローター番号Ｎｏ．４、回転数１２ｒｐｍ。
［数値の読み取り］
ローターの回転の開始から５分後。
【００２０】
本発明の（Ａ）成分の重量平均分分子量は、ゲルパーミレーションクロマトグラフィー（ＧＰＣ）法によって定められた値である。
なお、前記方法に使用する機器及び条件は以下の通りである。
使用カラム：ＴＳＫｇｅｌ  α−Ｍを２本直列に接続。
遊離液：ＴＨＦ（テトラヒドロフラン）、流量：０．５ｍＬ／分、検出器：ＲＩ、サンプル濃度：０．１質量％（ＴＨＦ溶液）、サンプル量：２００μＬ、カラム温度：４０℃
【００２１】
（Ａ）成分の配合量は、本発明の効果を奏する限り特に限定されないが、本発明の硬質表面用洗浄剤組成物の全量に対して、０．０１質量％以上、１０質量％以下が好ましく、０．０３質量％以上、５質量％以下がより好ましく、０．０５質量％以上、２質量％以下が特に好ましい。（Ａ）成分の配合量が、本発明の硬質表面用洗浄剤組成物の全量に対して、０．０１質量％未満になると防汚性が不十分となる場合があり、一方で、１０質量％より多くなると当該組成物の貯蔵安定性が悪くなる場合があり、また、硬質表面用洗浄剤組成物の粘度が高くなりすぎて、ハンドスプレーヤーでの使用が困難になる場合がある。
【００２２】
＜（Ｂ）成分＞
本発明の硬質表面用洗浄剤組成物は、（Ｂ）成分としてアルカリ剤を含む。このアルカリ剤により当該組成物の洗浄性を向上させる。
【００２３】
アルカリ剤は、硬質表面用洗浄剤組成物に使用される公知のアルカリ剤を使用することができ、例えば、水酸化リチウム、水酸化ナトリウム、水酸化カリウムなどの水酸化アルカリ金属化合物；炭酸ナトリウム、炭酸カリウムなどのアルカリ金属炭酸塩；メタケイ酸ナトリウム、オルソケイ酸ナトリウムなどのケイ酸塩；アンモニア、モノエタノールアミン、ジエタノールアミン、トリエタノールアミン、モノイソプロパノールアミンなどのアンモニウム化合物；ナトリウムメチラート、カリウムメチラートなどのアルカリ金属メチラートが挙げられる。
【００２４】
これらのアルカリ剤の中でも、水酸化ナトリウム、水酸化カリウム、モノエタノールアミン、ジエタノールアミン、トリエタノールアミン、モノイソプロパノールアミンから選択される１種又は２種以上を使用することが好ましく、水酸化ナトリウム及び水酸化カリウムの少なくとも１種を使用することがより好ましい。
【００２５】
（Ｂ）成分の配合量は、本発明の効果を奏する限り特に限定されないが、本発明の硬質表面用洗浄剤組成物の全量に対して、１質量％以上、２５質量％以下が好ましく、３質量％以上、２０質量％以下がより好ましく、５質量％以上、１５質量％以下が特に好ましい。（Ｂ）成分の配合量が、本発明の硬質表面用洗浄剤組成物の全量に対して、１質量％未満になると洗浄性が不十分となる場合があり、一方で、２５質量％より多くなると当該組成物の貯蔵安定性が悪くなる場合がある。
【００２６】
＜（Ｃ）成分＞
本発明の硬質表面用洗浄剤組成物は、（Ｃ）成分としてアニオン界面活性剤を含む。このアニオン界面活性剤により当該組成物の洗浄性及び発泡性が向上する。
前記アニオン界面活性剤は、硬質表面用洗浄剤組成物に使用される公知のアニオン界面活性剤を使用することができ、スルホン酸及びその塩、硫酸エステル及びその塩、カルボン酸及びその塩、リン酸エステル類が挙げられる。
【００２７】
スルホン酸及びその塩としては、アルキルベンゼンスルホン酸及びその塩、アルキル硫酸及びその塩、アルカンスルホン酸及びその塩、α−オレフィンスルホン酸及びその塩、α−スルホ脂肪酸及びその塩、α−スルホ脂肪酸アルキルエステル及びその塩、アルキルスルホコハク酸及びその塩、ジアルキルスルホコハク酸及びその塩等が挙げられる。
【００２８】
硫酸エステル及びその塩としては、アルキル硫酸エステル及びその塩、アルケニル硫酸エステル及びその塩、ポリオキシアルキレンアルキルエーテル硫酸エステル（好ましくは、ポリオキシエチレンアルキルエーテル硫酸エステル）及びその塩、ポリオキシアルキレンアルケニルエーテル硫酸エステル及びその塩等が挙げられる。
【００２９】
カルボン酸及びその塩としては、アルキルエーテルカルボン酸及びその塩、アミドエーテルカルボン酸及びその塩、スルホコハク酸及びその塩、アミノ酸系アニオン界面活性剤等が挙げられる。
アニオン界面活性剤を構成する塩としては、ナトリウム、カリウム、マグネシウム、カルシウム等の金属塩等が挙げられ、ナトリウム又はカリウムが好ましく、ナトリウムがより好ましい。
【００３０】
上記アニオン界面活性剤は、炭素数８〜１８のアルキル基又は炭素数８〜１８のアルケニル基を有することが好ましく、炭素数８〜１８のアルキル基がより好ましく、炭素数１２〜１８のアルキル基であることが更に好ましい。当該アルキル基又は当該アルケニル基は、直鎖状であってもよく、分岐鎖状であってもよい。
【００３１】
上記アニオン界面活性剤の中で、アルカンスルホン酸及びその塩、α−オレフィンスルホン酸及びその塩、並びにポリオキシアルキレンアルキルエーテル硫酸エステル及びその塩が好ましく、アルカンスルホン酸及びその塩、α−オレフィンスルホン酸及びその塩、並びにポリオキシエチレンアルキルエーテル硫酸エステル及びその塩がより好ましく、ポリオキシエチレンアルキルエーテル硫酸エステル及びその塩並びにα−オレフィンスルホン酸及びその塩が更により好ましく、α−オレフィンスルホン酸及びその塩が泡の持続性の点で最も好ましい。
【００３２】
アルカンスルホン酸及びその塩の具体例としては、テトラデカンスルホン酸及びそのナトリウム塩、ヘキサデカンスルホン酸及びそのナトリウム塩、並びにオクタデカンスルホン酸及びそのナトリウム塩等が挙げられる。
これらの中でも、炭素数１４以上、１７以下の２級アルカンスルホン酸ナトリウムの混合物が好ましい。
例えば、市販品としては、商品名「ＨＯＳＴＡＰＵＲ  ＳＡＳ３０（クラリアントジャパン社製）」、商品名「ＭＥＲＳＯＬＡＴ  Ｈ−９５（ランクセス社製）」、「ラムテルＰＳ（花王社製）」等が挙げられる。
【００３３】
ポリオキシアルキレンアルキルエーテル硫酸エステル及びその塩の具体例としては、炭素数１０〜１８、エチレンオキサイドの平均付加モル数１〜２０のナトリウム塩が好ましく、市販品として、商品名「テイカポールＮＥ７０３０（テイカ社製）」、「エマール２０Ｃ（花王社製）」等が挙げられる。
【００３４】
α−オレフィンスルホン酸及びその塩として、炭素数１４〜１６のオレフィンスルホン酸ナトリウムの混合物が好ましく、市販品として、商品名「ＨＯＳＴＡＰＵＲ  ＯＳ  ＬＩＱ（クラリアントジャパン社製）」等が挙げられる。
【００３５】
本発明の硬質表面用洗浄剤組成物は、（Ｄ）成分として水を含む。水としては、水道水、軟水化処理水、純水、ＲＯ水、イオン交換水、蒸留水を用いることができる。水道水としては、例えば、東京都荒川区の水道水（ｐＨ＝７．６、総アルカリ度（炭酸カルシウム換算として）４０．５ｍｇ／Ｌ、ドイツ硬度２．３°ＤＨ（そのうち、カルシウム硬度１．７°ＤＨ、マグネシウム硬度０．６°ＤＨ）、塩化物イオン２１．９ｍｇ／Ｌ、ナトリウム及びその化合物１５ｍｇ／Ｌ、硝酸態窒素及び亜硝酸態窒素１．２ｍｇ／Ｌ、フッ素及びその化合物０．１ｍｇ／Ｌ、ホウ素及びその化合物０．０４ｍｇ／Ｌ、総トリハロメタン０．０１６ｍｇ／Ｌ、残留塩素０．４ｍｇ／Ｌ、有機物（全有機炭素量）０．７ｍｇ／Ｌ）が挙げられる。
本発明の（Ｄ）の水は、上記（Ａ）〜（Ｃ）成分の合計量に対する残部、あるいは（Ａ）成分〜（Ｃ）成分、及び他の成分（（Ｅ）成分〜（Ｈ）成分）の合計量に対する残部となる。
【００３６】
本発明の硬質表面用洗浄剤組成物の（Ａ）成分と（Ｃ）成分の比は、（Ａ）／（Ｃ）の値が０．０１以上、１００以下（質量比）でなければならず、好ましくは０．０３以上、５０以下、より好ましくは０．０８以上、１０以下である。（Ａ）／（Ｃ）の値が０．０１未満であると、防汚性及び貯蔵安定性が悪くなる場合がある。一方、（Ａ）／（Ｃ）の値が１００を超えると、洗浄性、発泡性及び貯蔵安定性が悪くなる場合がある。
なお、（Ａ）成分及び（Ｃ）成分の質量はそれぞれ硬質表面用洗浄剤組成物の調製時の仕込み値である。
【００３７】
本発明の硬質表面用洗浄剤組成物は、上記の（Ａ）〜（Ｄ）成分に加えて、（Ｅ）成分として両性界面活性剤、（Ｆ）成分として非イオン界面活性剤、（Ｇ）成分としてグリコール系溶剤及び／又はグリコールエーテル系溶剤、及び（Ｈ）成分として芳香族スルホン酸化合物を任意に添加することができる。
【００３８】
（Ｅ）成分として、両性界面活性剤を使用することで、硬質表面用洗浄剤組成物の洗浄性及び防汚性をより向上させることができる。硬質表面用洗浄剤組成物に使用できる公知の両性界面活性剤を使用することができる。
【００３９】
前記カルボン酸型両性界面活性剤の具体的な例として、アルキルカルボベタイン、アルキルスルホベタイン、アルキルヒドロキシスルホベタイン、アルキルアミドカルボベタイン、アルキルアミドスルホベタイン、アルキルアミドヒドロキシスルホベタイン、アルキルジメチルベタイン、アルキルジエチルベタイン、アルキルヒドロキシエチルベタイン、アルキルアミドプロピルジメチルアミノ酢酸ベタイン、アルキルジメチルアミノ酢酸ベタインなどのアルキルベタイン型両性界面活性剤、２−アルキル−Ｎ−カルボキシエチル−Ｎ−ヒドロキシエチルイミダゾリニウムベタインなどのアルキルイミダゾリニウムベタイン型両性界面活性剤、ヤシ油脂肪酸アミドプロピルベタイン、パーム油脂肪酸アミドプロピルベタイン、ラウリン酸アミドプロピルベタイン及びリシノレイン酸アミドプロピルベタイン脂肪酸アミドプロピルベタイン型両性界面活性剤、アルキルアミノエチルグリシン、アルキルジアミノエチルグリシン、ジアルキルジアミノエチルグリシンなどのグリシン型界面活性剤、アルキルアミノプロピオン酸塩、アルキルアミノジプロピオン酸塩などのアミノプロピオン酸型両性界面活性剤などが挙げられる。
この中では、アルキルベタイン型両性界面活性剤、アミノプロピオン型両性界面活性剤が好ましく、アルキルベタイン型両性界面活性剤としては、アルキルジメチルアミノ酢酸ベタインが好ましく、アミノプロピオン型両性界面活性剤としては、アルキルアミノジプロピオン酸塩が好ましく、アルキルジメチルアミノ酢酸ベタインがより好ましい。
【００４０】
上記のアルキルアミノジプロピオン酸塩としては、オクチルアミノジプロピオン酸塩、デシルアミノジプロピオン酸塩、ラウリルアミノジプロピオン酸塩、ミリスチルアミノジプロピオン酸塩、パルミチルアミノジプロピオン酸塩、オレイルアミノジプロピオン酸塩等が挙げられ、デシルアミノジプロピオン酸塩、ラウリルアミノジプロピオン酸塩、ミリスチルアミノジプロピオン酸塩が好ましく、ラウリルアミノジプロピオン酸塩がより好ましい。また、塩としてナトリウム塩が好ましい。
【００４１】
アルキルジメチルアミノ酢酸ベタインとしては、オクチルジメチルアミノ酢酸ベタイン、デシルジメチルアミノ酢酸ベタイン、ラウリルジメチルアミノ酢酸ベタイン、ミリスチルジメチルアミノ酢酸ベタイン、ステアリルジメチルアミノ酢酸ベタイン、オレイルジメチルアミノ酢酸ベタイン等が挙げられ、デシルジメチルアミノ酢酸ベタイン、ラウリルジメチルアミノ酢酸ベタイン、ミリスチルジメチルアミノ酢酸ベタインが好ましく、ラウリルジメチルアミノ酢酸ベタインがより好ましい。
【００４２】
（Ｅ）成分の配合量は、本発明の効果を奏する限り特に限定されないが、本発明の硬質表面用洗浄剤組成物の全量に対して、０．１質量％以上、１０質量％以下が好ましく、０．３質量％以上、８質量％以下がより好ましく、０．５質量％以上、５質量％以下が特に好ましい。（Ｅ）成分の配合量が、本発明の硬質表面用洗浄剤組成物の全量に対して、０．１質量％未満になると洗浄性及び防汚性が不十分となる場合があり、一方で、１０質量％より多くなると当該組成物の貯蔵安定性が悪くなる場合がある。
【００４３】
前記（Ｆ）成分の非イオン界面活性剤を用いることで、本発明の硬質表面用洗浄剤組成物の洗浄性及び発泡性をより向上させることができる。
当該非イオン界面活性剤は、例えば、ポリオキシエチレンアルキルエーテル、ポリオキシエチレンアルケニルエーテル、ポリオキシエチレンポリオキシプロピレンアルキルエーテル（エチレンオキサイドとプロピレンオキサイドの付加形態は、ランダム状、ブロック状の何れでもよい。）、ポリエチレングリコールプロピレンオキサイド付加物、ポリプロピレングリコールエチレンオキサイド付加物、グリセリン脂肪酸エステル又はそのエチレンオキサイド付加物、ソルビタン脂肪酸エステル、ポリオキシエチレンソルビタン脂肪酸エステル、アルキルポリグルコシド、脂肪酸モノエタノールアミド又はそのエチレンオキサイド付加物、脂肪酸−Ｎ−メチルモノエタノールアミド又はそのエチレンオキサイド付加物、脂肪酸ジエタノールアミド又はそのエチレンオキサイド付加物、ショ糖脂肪酸エステル、アルキル（ポリ）グリセリンエーテル、ポリグリセリン脂肪酸エステル、ポリエチレングリコール脂肪酸エステル、脂肪酸メチルエステルエトキシレート、Ｎ−長鎖アルキルジメチルアミンオキサイドなどが挙げられる。これらの中でも洗浄力を向上させる効果が良好なことから、ポリオキシエチレンアルキルエーテル、ポリオキシエチレンアルケニルエーテル、ポリオキシエチレンポリオキシプロピレンアルキルエーテルなどのポリアルキレンオキサイド付加物が好ましく、下記の一般式（１）で表される非イオン界面活性剤がより好ましい：
【００４４】
Ｒ１−（ＯＣ２Ｈ４）ｎ−ＯＨ      （１）
（式中、Ｒ１は、炭素数８〜１８の脂肪族炭化水素基を表し、ｎは、１〜２０の数を表す。）
【００４５】
一般式（１）のＲ１は、炭素数８〜１８の脂肪族炭化水素基を表し、好ましくは、直鎖又は分岐鎖のアルキル基若しくはアルケニル基を表し、こうした基としては、例えば、直鎖又は分岐鎖オクチル基、直鎖又は分岐鎖ノニル基、直鎖又は分岐鎖デシル基、直鎖又は分岐鎖ドデシル基、直鎖又は分岐鎖トリデシル基、直鎖又は分岐鎖イソトリデシル基、直鎖又は分岐鎖テトラデシル基、直鎖又は分岐鎖ペンタデシル基、直鎖又は分岐鎖ヘキサデシル基、直鎖又は分岐鎖ペプタデシル基、直鎖又は分岐鎖オクタデシル基などのアルキル基；直鎖又は分岐鎖デセニル基、直鎖又は分岐鎖ぺンタデセニル基、直鎖又は分岐鎖オクタデセニル基などのアルケニル基が挙げられる。これらの中でも洗浄力及び発泡性が優れることから炭素数８〜１４の直鎖若しくは分岐鎖アルキル基が好ましく、炭素数１０〜１４の２級アルキル基がより好ましい。また、ｎは、１〜２０の数であるが、３〜１８の数が好ましく、５〜１８の数がより好ましい。
【００４６】
一般式（１）で表される非イオン界面活性剤としては、市販品を使用することができ、例えば、商品名「ソフタノール９０（Ｒ１：２級ドデシル基、ｎ＝９：日本触媒化学工業株式会社製）」、商品名「ソフタノール１２０（Ｒ１：２級ドデシル基、ｎ＝１２：日本触媒化学工業株式会社製）」、商品名「ソフタノール１５０（Ｒ１：２級ドデシル基、ｎ＝１５：日本触媒化学工業株式会社製）」、商品名「ソフタノール２００（Ｒ１：２級ドデシル基、ｎ＝２０：日本触媒化学工業株式会社製）」等が使用できる。上記化合物は２種以上を組合せてもよい。
【００４７】
（Ｆ）成分の非イオン界面活性剤の配合量は本発明の効果を奏する限り、特に制限されないが、本発明の硬質表面用洗浄剤組成物の全量に対して０．０５質量％以上、５質量％以下が好ましく、０．１質量％以上、４質量％以下であることがより好ましく、０．３質量％以上、２質量％以下が特に好ましい。（Ｆ）成分の配合量が０．０５質量％未満であると、洗浄性及び発泡性の向上が認められない場合があり、一方で、５質量％より多いと貯蔵安定性に悪い影響を与える可能性がある。
【００４８】
前記（Ｇ）成分であるグリコール系溶剤及び／又はグリコールエーテル系溶剤を使用することで、洗浄性がより向上する。
本発明の（Ｇ）成分であるグリコール系溶剤及び／又はグリコール系溶剤は、硬質表面用洗浄剤組成物に配合することができる公知の溶剤を用いることができる。
【００４９】
前記グリコール系溶剤としては、エチレングリコール、ジエチレングリコール、トリエチレングリコール、プロピレングリコール、ジプロピレングリコール、トリプロピレングリコール、イソプレングリコール、１，２−ブチレングリコール、１，３−ブチレングリコール等が挙げられる。
【００５０】
また、グリコールエーテル系溶剤としては、エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノベンジルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノヘキシルエーテル、トリエチレングリコールモノフェニルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、エチレングリコールジメチルエーテル、ジエチレングリコールジメチルエーテル、ジエチレングリコールメチルエチルエーテル、プロピレングリコールメチルエチルエーテル、ジプロピレングリコールメチルエチルエーテル等が挙げられる。これらは単独で用いても、２種以上組み合わせて用いてもよい。
【００５１】
これらの溶剤のなかでも、本発明の硬質表面用洗浄剤組成物の洗浄性の点から、エチレングリコールモノブチルエーテル、ジエチレングリコールモノブチルエーテル、トリエチレングリコールモノブチルエーテルが好ましい。
【００５２】
（Ｇ）成分の溶剤の配合量は本発明の効果を奏する限り、特に制限されないが、本発明の硬質表面用洗浄剤組成物の全量に対して０．１質量％以上、１５質量％以下が好ましく、０．５質量％以上、１２質量％以下であることがより好ましく、１質量％以上、８質量％以下が特に好ましい。（Ｇ）成分の配合量が０．１質量％未満であると、洗浄性の向上が認められない場合があり、一方で、１５質量％より多く加えると貯蔵安定性に悪い影響を与える可能性がある。
【００５３】
前記（Ｈ）成分である芳香族スルホン酸化合物を使用することで、硬質表面用洗浄剤組成物の貯蔵安定性がより向上する。
本発明の（Ｈ）成分である芳香族スルホン酸化合物は、硬質表面用洗浄剤組成物に配合することができる公知の芳香族スルホン酸化合物を用いることができる。
【００５４】
前記芳香族スルホン酸化合物としては、メトキシベンゼンスルホン酸、メトキシベンゼンジスルホン酸、ジメトキシベンゼンスルホン酸、ジメトキシベンゼンジスルホン酸、エトキシベンゼンスルホン酸、エトキシベンゼンジスルホン酸、ジエトキシベンゼンスルホン酸、ジエトキシベンゼンジスルホン酸、プロポキシベンゼンスルホン酸、プロポキシベンゼンジスルホン酸、ブトキシベンゼンスルホン酸、ブトキシベンゼンジスルホン酸、メチルメトキシベンゼンスルホン酸、メチルメトキシベンゼンジスルホン酸、メトキシナフタリンスルホン酸、メトキシナフタリンジスルホン酸、ジメトキシナフタリンスルホン酸、ジメトキシナフタリンジスルホン酸、メチルメトキシナフタリンスルホン酸、メチルメトキシナフタリンジスルホン酸、エトキシナフタリンスルホン酸、エトキシナフタリンジスルホン酸、トルエンスルホン酸、クメンスルホン酸、キシレンスルホン酸、置換もしくは非置換ナフタレンスルホン酸及びこれらのナトリウム、カリウム、リチウム、カルシウム塩等が挙げられる。トルエンスルホン酸、クメンスルホン酸は、それぞれｏ体、ｍ体、ｐ体の３異性体のいずれでもよい。これらは単独で用いても、２種以上を組み合わせてもよい。
【００５５】
これら芳香族スルホン酸化合物のなかでも、メトキシベンゼンスルホン酸、トルエンスルホン酸、クメンスルホン酸、キシレンスルホン酸、及びこれらの塩が好ましく、クメンスルホン酸及びその塩がより好ましい。
【００５６】
（Ｈ）成分の芳香族スルホン酸化合物の配合量は本発明の効果を奏する限り、特に制限されないが、本発明の硬質表面用洗浄剤組成物の全量に対して０．０１質量％以上、５質量％以下が好ましく、０．０５質量％以上、４質量％以下であることがより好ましく、０．１質量％以上、３質量％以下が特に好ましい。（Ｈ）成分の配合量が０．０１質量％未満であると、貯蔵安定性の向上が認められない場合があり、一方で、４質量％より多く加えても、添加量に見合う効果が得られない場合がある。
【００５７】
＜粘度＞
本発明の硬質表面用洗浄剤組成物は、ハンドスプレーヤーによる吐出性及び起泡性の観点から、２５℃における粘度が２００ｍＰａ・ｓ以下であることが好ましく、１００ｍＰａ・ｓ以下であることがより好ましく、５０ｍＰａ・ｓ以下であることが更に好ましい。ここで粘度は、Ｂ型粘度計によりＮｏ．１ローターを用いて、２５℃、回転数６０ｒｐｍの条件で５分攪拌後の値を測定したものである。
【００５８】
＜ｐＨ＞
本発明の硬質表面用洗浄剤組成物のｐＨは、洗浄性及び貯蔵安定性の観点から９以上、１４以下であり、１０．５以上、１４以下が好ましく、１２以上、１４以下がより好ましい。ｐＨが９未満であると洗浄性が不十分となる場合がある。
【００５９】
本発明の硬質表面用洗浄剤組成物は、上記以外の成分で、本発明の効果を損なわない範囲において、キレート剤、ビルダー、防腐剤、酵素、色素、香料などの他の成分を配合することができる。
【００６０】
上記キレート剤としては、例えば、オルトリン酸ナトリウム、ピロリン酸ナトリウム、トリポリリン酸ナトリウム、ヘキサメタリン酸ナトリウムなどのリン酸塩;ニトリロ三酢酸塩（ＮＴＡ）、エチレンジアミン四酢酸塩（ＥＤＴＡ）、ヒドロキシエチレンジアミン三酢酸（ＨＥＤＴＡ）、ジエチレントリアミノ五酢酸塩（ＤＴＰＡ）、トリエチレンテトラアミン六酢酸塩（ＴＴＨＡ）、ヒドロキシエチルイミノ二酢酸塩（ＨＩＤＡ）、ジヒドロキシエチルグリシン（ＤＨＥＧ）、メチルグリシン二酢酸塩（ＭＧＤＡ）、グルタミン酸二酢酸塩（ＧＬＤＡ）、アスパラギン酸二酢酸塩（ＡＳＤＡ）、β-アラニン二酢酸塩（ＡＤＡ）、セリン二酢酸（ＳＤＡ）などのアミノポリ酢酸塩;グリシン、アラニン、グルタミン酸、アスパラギン酸などのアミノ酸や、グルコール酸、乳酸、クエン酸、グルコン酸、酒石酸、リンゴ酸などの有機酸;ポリアクリル酸又はその塩、ポリフマル酸又はその塩、ポリマレイン酸又はその塩、ポリ−α−ヒドロキシアクリル酸又はその塩、ポリアセタールアクリル酸又はその塩などの高分子が挙げられる。これらのキレート剤は、本発明の硬質表面用洗浄剤組成物全量に対して０．０５〜１０質量％配合することが好ましい。
【００６１】
上記ビルダーとしては、硫酸ナトリウム、塩化ナトリウム、塩化マグネシウムなどの無機ビルダーが挙げられる。
【００６２】
上記防腐剤としては、ヒダントイン類や、ヨード−２−プロピニルブチルカーバメイト、イソプロピルメチルフェノール、ヘキサクロロフェン、イルガサン、トリクロサンなどが挙げられる。
【００６３】
上記酵素としては、例えば、アミラーゼ、プロテアーゼ、リパーゼ、セルラーゼ、グルカナーゼなどが挙げられる。上記色素としては、例えば、天然色素、合成色素、これらの混合物が挙げられる。また、上記香料としては、例えば、天然香料、合成香料、これらの調合香料などが挙げられる。
【００６４】
＜硬質表面の洗浄方法＞
本発明の硬質表面の洗浄方法は、上記成分を配合させた硬質表面用洗浄剤組成物と、汚れ（好ましくは油汚れ）が付着した硬質表面とを接触させることを含む。
【００６５】
前記硬質表面は特に限定されないが、疎水性表面や親水性表面のいずれであってもよい。例えば、レンジ、流し、換気扇、調理台、調理機器、便器、便座、洗面台、鏡、浴槽、テーブル、椅子、床、窓及び壁などが挙げられる。
なお、疎水性表面を有する材質として、例えば、疎水処理されたステンレス鋼などの疎水性金属、ポリ塩化ビニル（ＰＶＣ）、ＡＢＳ樹脂、ポリエチレンテレフタレート、ポリエチレン、ポリプロピレン、ポリスチレン、ポリカーボネート、アクリル樹脂、ポリウレタン、６−ナイロンなどの疎水性プラスチック、ＥＰＤＭ、ＮＢＲ、ＣＲ、シリコーン、ウレタンなどのゴムなどが挙げられる。繊維強化プラスチック（ＦＲＰ）のような複合素材なども包含される。
疎水性表面と親水性表面の区分は空気中での水接触角より区分することができ、ここでは水接触角が６０°以上の表面を疎水性表面、６０°未満の表面を親水性表面として区分する。なお、本発明における硬質表面の水接触角は、協和界面科学社製の接触角計（ＣＡ−Ｘ型）を用いて液滴法により求められた値である。 
【００６６】
本発明の硬質表面用洗浄剤組成物を用いる硬質表面の洗浄方法において、上記の硬質表面用洗浄剤組成物を原液で用いることもでき、水又はお湯で２〜１００倍、好ましくは２〜３０倍、より好ましくは２〜１０倍に希釈した洗浄液を調製して使用することも可能である。ここでの水又はお湯は本発明の硬質表面用洗浄剤組成物の（Ｄ）成分と同じ水道水、軟水化処理水、純水、ＲＯ水、イオン交換水又は蒸留水を用いることができる。
【００６７】
本発明の硬質表面用洗浄剤組成物を希釈した洗浄液中の（Ａ）成分は、通常、洗浄液の全質量に対して、０．０００５質量％以上、５質量％以下であることが好ましく、０．００１質量％以上、２質量％以下であることがより好ましく、０．００８質量％以上、０．５質量％以下であることが特に好ましい。
本発明の硬質表面用洗浄剤組成物を希釈した洗浄液中の（Ｂ）成分は、通常、洗浄液の全質量に対して、０．０５質量％以上、１２質量％以下であることが好ましく、０．１質量％以上、１０質量％以下であることがより好ましく、１質量％以上、７質量％以下であることが特に好ましい。
本発明の硬質表面用洗浄剤組成物を希釈した洗浄液中の（Ｃ）成分は、通常、洗浄液の全質量に対して、０．００５質量％以上、５質量％以下であることが好ましく、０．０１質量％以上、３質量％以下であることがより好ましく、０．０３質量％以上、２質量％以下であることが特に好ましい。
【００６８】
本発明の硬質表面用洗浄剤組成物をハンドスプレーヤーに充填したのち、泡状に噴霧して、被洗浄体の硬質表面の汚れと前記硬質表面用洗浄剤組成物を直接接触させることが好ましい。
１回の噴霧により、本発明の硬質表面用洗浄剤組成物を０．１ｍｌ〜３ｍｌ噴霧することが好ましく、０．３ｍｌ〜２．５ｍｌ噴霧することがより好ましく、０．５ｍｌ〜１．５ｍｌ噴霧することが更に好ましい。
【００６９】
本発明の硬質表面用洗浄剤組成物を、ハンドスプレーヤーを用いて、硬質表面上の汚れに直接噴霧したのちに、一定時間、例えば、０秒〜６００秒、好ましくは３０秒〜３００秒放置し、布又はスポンジなどの可撓性材料で汚れと共に拭き取るか、水で洗い流すことで、硬質表面を洗浄することができる。
本発明の硬質表面の洗浄方法で使用するハンドスプレーヤーは特に限定されず、公知のハンドスプレーヤーを使用することができ、トリガースプレーヤー、フォーマースプレーヤー等の公知のハンドスプレーヤーを用いることができる。
【実施例】
【００７０】
以下、本発明を実施例と比較例により具体的に説明する。実施例、比較例において配合に用いた各成分を下記に示す。なお、以下の実施例等において「％」は特に記載がない限り質量％を表し、表中における実施例及び比較例の配合の数値は純分の質量％を表す。実施例、比較例において使用した化合物を以下に記す。
【００７１】
（Ａ）成分
Ａ−１：カチオン化セルロース１（商品名：レオガードＧＰ、窒素含有量１．８質量％
、ライオン・スペシャリティ・ケミカルズ社製）
Ａ−２：カチオン化セルロース２（商品名：レオガードＬＰ、窒素含有量１．０質量％、ライオン・スペシャリティ・ケミカルズ社製）
Ａ−３：カチオン化セルロース３（商品名：ＳｕｐｒａＣａｒｅ２１２、窒素含有量１．９質量％、ダウ・ケミカル社製）
Ａ−４：カチオン化セルロース４（商品名：レオガードＭＬＰ、窒素含有量０．６質量％、ライオン・スペシャリティ・ケミカルズ社製）
Ａ−５：カチオン化グアーガム（商品名：ラボールガムＣＧ−Ｍ８Ｍ、窒素含有量２．２〜２．８質量％、ＤＳＰ五協フード＆ケミカルズ社製）
Ａ−６：カチオン化澱粉（商品名：ＳＥＮＳＯＭＥＲ  ＣＩ−５０、窒素含有量１．８質量％、ルブリゾール社製）
【００７２】
（Ａ）成分の比較成分
Ａ′−１：塩化ジアリルジメチルアンモニウムのホモポリマー（重量平均分子量７５０００）
【００７３】
（Ｂ）成分
Ｂ−１：水酸化ナトリウム
Ｂ−２：水酸化カリウム
Ｂ−３：モノエタノールアミン
【００７４】
（Ｃ）成分
Ｃ−１：α−オレフィンスルホン酸ナトリウム（商品名：ＨＯＳＴＡＰＵＲ  ＯＳ  ＬＩＱ、クラリアントジャパン社製）
Ｃ−２：２級アルカンスルホン酸ナトリウム（商品名：ＨＯＳＴＡＰＵＲ  ＳＡＳ３０、クラリアントジャパン社製）
Ｃ−３：ラウリルベンゼンスルホン酸ナトリウム（商品名：テイカパワーＬ１２１、テイカ社製）
Ｃ−４：ポリオキシエチレン（ＥＯ３モル）ラウリルエーテル硫酸ナトリウム（商品名：エマール２０Ｃ、花王社製）
【００７５】
（Ｄ）成分
Ｄ−１：イオン交換水
【００７６】
（Ｅ）成分
Ｅ−１：ラウリルアミノジプロピオン酸ナトリウム（商品名：エナジコールＤＰ−３０、ライオン・スペシャリティ・ケミカルズ社製）
Ｅ−２：２−アルキル−Ｎ−カルボキシエチル−Ｎ−ヒドロキシエチルイミダゾリニウムベタイン（商品名：エナジコールＣＮＳ、ライオン・スペシャリティ・ケミカルズ社製）
Ｅ−３：ラウリルジアミノエチルグリシンナトリウム（商品名：レボンＳ、三洋化成工業社製）
Ｅ−４：ラウリルジメチルアミノ酢酸ベタイン（商品名：アンヒトール２４Ｂ、花王社製）
【００７７】
（Ｆ）成分
Ｆ−１：非イオン界面活性剤１（２級アルコールにＥＯ１５モルを付加したもの（商品名：ソフタノール１５０、日本触媒社製））
Ｆ−２：非イオン界面活性剤２（２級アルコールにＥＯ９モルを付加したもの（商品名：ソフタノール９０、日本触媒社製））
Ｆ−３：非イオン界面活性剤３（ラウリルアルコールにＥＯ９モルを付加したもの（商品名：ブラウノンＥＬ−１５０９、青木油脂工業社製））
【００７８】
（Ｇ）成分
Ｇ−１：ジエチレングリコールモノブチルエーテル
Ｇ−２：トリエチレングリコールモノブチルエーテル
Ｇ−３：ジエチレングリコール
【００７９】
（Ｈ）成分
Ｈ−１：クメンスルホン酸ナトリウム
Ｈ−２：トルエンスルホン酸ナトリウム
【００８０】
各実施例の組成物は、（Ｄ）成分の水を組成物の合計が１００質量％となるように混合槽に加え、次いで（Ａ）成分、（Ｂ）成分、（Ｃ）成分（必要に応じて（Ｅ）成分、（Ｆ）成分、（Ｇ）成分、（Ｈ）成分、）を混合槽中に配合し、十分に混合撹拌して調製した。
【００８１】
実施例１〜５３、比較例１〜６
表１〜表７に示す硬質表面用洗浄剤組成物を調製した。各硬質表面用洗浄剤組成物を用いて、洗浄性、防汚性、発泡性、貯蔵安定性を測定した。表１〜６に実施例１〜５３の結果を、表７に比較例１〜６の結果をそれぞれ示す。
【００８２】
※１：ｐＨの測定方法
ｐＨメーター（ＨＯＲＩＢＡ製；ｐＨ／イオンメーター  Ｆ−２３）にｐＨ測定用複合電極（ＨＯＲＩＢＡ製；ガラス摺り合わせスリーブ型）を接続し、電源を入れる。ｐＨ電極内部液としては、飽和塩化カリウム水溶液（３．３３ｍｏｌ／Ｌ）を使用した。
次に、ｐＨ４．０１標準液（フタル酸塩標準液）、ｐＨ６．８６（中性リン酸塩標準液）、ｐＨ９．１８標準液（ホウ酸塩標準液）をそれぞれ１００ｍＬビーカーに充填し、２５℃の恒温槽に３０分間浸漬した。恒温に調整された標準液にｐＨ測定用電極を３分間浸し、ｐＨ６．８６→ｐＨ９．１８→ｐＨ４．０１の順に校正操作を行った。
各硬質表面用洗浄剤組成物を１００ｍＬビーカーに充填し、恒温槽内にて２５℃に調整した。恒温に調整された試料にｐＨ測定用電極を３分間浸し、希釈液のｐＨを測定した。
【００８３】
※２：洗浄性試験
ステンレス板（ＳＵＳ３０４、５０ｍｍ×１００ｍｍ）の片面に大豆油が０．１±０．０１ｇになるように均一に塗布し、２５０℃のオーブン内で１２０分焼き付けを行った。このステンレス板を垂直に立て掛けて、各硬質表面用洗浄剤組成物をスプレーガンで全体が十分に覆われるように吹き付け、３分間接触させた。その後、流水で３０秒間すすいだ後に乾燥させ、洗浄前後の重量変化より下記の式にて洗浄率を算出し、洗浄率８５％以上を良好なものとして評価した。
洗浄率（％）＝｛（（大豆油を塗布して焼付けた後のステンレス板）−（洗浄後のステンレス板））／塗布した大豆油の実際の質量｝×１００
【００８４】
※３：防汚性試験（親水性表面）
ステンレス板のテストピース（ＳＵＳ３０４、７５ｍｍ×１５０ｍｍ）の片面に、各硬質表面用洗浄剤組成物をスプレーガンで全体が十分に覆われるように吹き付けて１分間接触させ、流水で３０秒間すすいだ後に乾燥させた。乾燥後のテストピースの洗浄面に、スダンＩＩＩで染色した大豆油２ｍｌをへらで均一に塗布し、その後流水で３０秒間すすぎ、乾燥後のテストピースの表面状態を以下の基準で評価した。
評価基準
◎：汚れの付着が見当たらない
○：汚れがテストピースの面積の１割未満だが、汚れは目視で確認できる
△：汚れがテストピースの面積の１割〜５割に付着している
×：汚れがテストピースの面積の５割より多く付着している
とし、△、○、◎を実用性のあるものとして判定した。
【００８５】
※４：防汚性試験（疎水性表面）
樹脂板のテストピース（硬質ＰＶＣ、７５ｍｍ×１５０ｍｍ）の片面に、各硬質表面用洗浄剤組成物をスプレーガンで全体が十分に覆われるように吹き付けて１分間接触させ、流水で３０秒間すすいだ後に乾燥させた。乾燥後のテストピースの洗浄面に、スダンＩＩＩで染色した大豆油２ｍｌをへらで均一に塗布し、その後流水で３０秒間すすぎ、乾燥後のテストピースの表面状態を以下の基準で評価した。
評価基準
◎：汚れの付着が見当たらない
○：汚れがテストピースの面積の１割未満だが、汚れは目視で確認できる
△：汚れがテストピースの面積の１割〜５割に付着している
×：汚れがテストピースの面積の５割より多く付着している
とし、△、○、◎を実用性のあるものとして判定した。
【００８６】
※５：発泡性試験
１００ｍＬガラス栓つきエプトン管に各硬質表面用洗浄剤組成物をスプレーガン（Ｔ９５：キャニオン社製、１スプレー当たり約１ｍｌ）で３回スプレーし、１分間静置後の、洗浄液面からの泡の高さを測定し、以下の基準で評価した。
【００８７】
＜評価基準＞
◎：泡の高さが１０ｃｍ以上、
○：泡の高さが７．５ｃｍ以上、１０ｃｍ未満、
△：泡の高さが５ｃｍ以上、７．５ｃｍ未満、
×：泡の高さが５ｃｍ未満
とし、△、○、◎を実用性のあるものとして判定した。
【００８８】
※６：貯蔵安定性試験
各硬質表面用洗浄剤組成物を密閉したガラス容器に入れ、４０℃の恒温槽内に６ヶ月放置し、６ヶ月後の状態を目視で判定して以下の基準で評価した。
評価基準
○：分離や濁りが見られず安定である
△：全体的な分離はなく、若干の濁りが見られるが、使用上問題はない
×：分離もしくは濁りが見られる 
とし、△、○を実用性のあるものとして判定した。
なお、実施例１５、１８、３５、３６、４６〜４９は参考例である。
【００８９】
【表１】
0006960510.tif 000002
【００９０】
【表２】
0006960510.tif 000003
【００９１】
【表３】
0006960510.tif 000004
【００９２】
【表４】
0006960510.tif 000005
【００９３】
【表５】
0006960510.tif 000006
【００９４】
【表６】
0006960510.tif 000007
【００９５】
【表７】
0006960510.tif 000008
【要約】
【課題】優れた洗浄性及び防汚性効果を発揮する硬質表面用洗浄剤組成物を提供することを目的とする。
【解決手段】本発明は、（Ａ）成分としてカチオン化多糖類、（Ｂ）成分としてアルカリ剤、（Ｃ）成分としてアニオン界面活性剤、及び（Ｄ）成分として水を含有し、（Ａ）成分と（Ｃ）成分の質量比（Ａ）／（Ｃ）の値が０．０１以上、１００以下である、硬質表面用洗浄剤組成物を提供する。
【選択図】なし